(57)【要約】【課題】  ビル毎にそれ専用の長さのパネルを用意する必要がないため、組立てに必要な手間を抑えることができる建物用遮蔽体の提供。【解決手段】  建物の側周方向に沿う長さを定めた寸法の第一パネルと、建物の側周方向に沿う長さを調節できるよう、厚み方向に重ねられた別体のパネル部を有してパネル部どうしを相対的にスライド可能にしてなる第二パネルとを備え、第一パネルと第二パネルとが、建物の側周方向に並べて配置されて、建物の側周を遮蔽してなる建物用遮蔽体。【選択図】  図７
2013253464.tif 000002
【特許請求の範囲】
【請求項１】
建物の側周方向に沿う長さを定めた寸法の第一パネルと、前記建物の側周方向に沿う長さを調節できるよう、厚み方向に重ねられた別体のパネル部を有して該パネル部どうしを相対的にスライド可能にしてなる第二パネルとを備え、前記第一パネルと第二パネルとが、建物の側周方向に並べて配置されて、該建物の側周を遮蔽してなることを特徴とする建物用遮蔽体。
【請求項２】
前記第二パネルは、一側パネル部と、該一側パネル部に対して厚み方向で重なる他側パネル部とを備え、前記一側パネル部および他側パネル部の上下端に、フレーム部材が一体に設けられ、前記一側パネル部のフレーム部材と、他側パネル部のフレーム部材とが相対的にスライド可能に係合されている請求項１記載の建物用遮蔽体。
【請求項３】
前記第二パネルにおける一側パネル部のフレーム部材の上下端と、該フレーム部材の上下端に対応する他側パネル部のフレーム部材の上下端とが面一となされている請求項２記載の建物用遮蔽体。
【請求項４】
前記第二パネルにおける一側パネル部のフレーム部材および他側パネル部のフレーム部材のうち、少なくとも一方のパネル部のフレーム部材に、前記建物に固定されたパネル部保持用の挿入部材に係止する係止用孔が形成されている請求項２または３に記載の建物用遮蔽体。
【請求項５】
前記第二パネルは、側周方向両側にある二枚の端側パネル部と、該双方の端側パネル部に対して厚み方向で重なって端側パネル部どうしに亘る中央側パネル部を有する三枚のパネル部を備え、前記二枚の端側パネル部および中央側パネル部の上下端にフレーム部材が設けられ、前記二枚の端側パネル部のそれぞれに設けられたフレーム部材と、中央側パネル部のフレーム部材とが相対的にスライド可能に係合されている請求項２ないし４の何れか１項に記載の建物用遮蔽体。
【請求項６】
前記第二パネルにおける一側パネル部のフレーム部材と、他側パネル部のフレーム部材とが相対的にスライド可能に係合されるとともに、少なくとも一方のパネル部は、その前記フレーム部材に、前記建物側に固定された中間挿入部材がスライド可能に挿入されるスライド用長孔が設けられ、該スライド用長孔に挿入された中間挿入部材によって中間部が支持された状態で、他方のパネル部に対してスライド可能となされ、さらに前記他方のパネル部のフレーム部材に、前記建物に固定されたパネル部保持用の挿入部材を挿入可能な係止用孔が形成されている請求項２ないし５の何れか１項に記載の建物用遮蔽体。
【請求項７】
建物の側周を遮蔽する建物用遮蔽体に用いられて、前記建物の側周方向に沿う長さを調節できるパネル構造体であって、厚み方向に重ねられた別体のパネル部を有して、該パネル部どうしを相対的にスライド可能としていることを特徴とするパネル構造体。
【請求項８】
一側パネル部と、該一側パネル部に対して厚み方向で重なる他側パネル部とを備え、前記一側パネル部および他側パネル部の上下端に、フレーム部材が一体に設けられ、前記一側パネル部のフレーム部材と、他側パネル部のフレーム部材とが相対的にスライド可能に係合されている請求項７に記載のパネル構造体。
【請求項９】
一側パネル部のフレーム部材の上下端と、該フレーム部材の上下端に対応する他側パネル部のフレーム部材の上下端とが面一となされている請求項８に記載のパネル構造体。
【請求項１０】
一側パネル部のフレーム部材および他側パネル部のフレーム部材のうち、少なくとも一方のパネル部のフレーム部材に、前記建物と第二パネルとの間に配置されたパネル部保持用の挿入部材に係止する係止用孔が形成されている請求項８または９に記載のパネル構造体。
【請求項１１】
側周方向両側にある二枚の端側パネル部と、該双方の端側パネル部に対して厚み方向で重なって端側パネル部どうしに亘る中央側パネル部を有する三枚のパネル部を備え、前記二枚の端側パネル部および中央側パネル部の上下端にフレーム部材が設けられ、前記二枚の端側パネル部のそれぞれに設けられたフレーム部材と、中央側パネル部のフレーム部材とが相対的にスライド可能に係合されている請求項８ないし１０の何れか１項に記載のパネル構造体。
【請求項１２】
一側パネル部のフレーム部材と、他側パネル部のフレーム部材とが相対的にスライド可能に係合されているとともに、少なくとも一方のパネル部は、その前記フレーム部材に、前記建物側に固定された中間挿入部材がスライド可能に挿入されるスライド用長孔が設けられ、該スライド用長孔に挿入された中間挿入部材によって中間部が支持された状態で、他方のパネル部に対してスライド可能となされ、さらに前記他方のパネル部のフレーム部材に、前記建物に固定されたパネル部保持用の挿入部材を挿入可能な係止用孔が形成されている請求項８ないし１１の何れか１項に記載のパネル構造体。
【請求項１３】
建物の側周方向に沿う長さが定められた寸法の第一パネルと、厚み方向に重ねられた別体のパネル部を有して該パネル部どうしを相対的にスライドさせることで前記建物の側周方向に沿う長さを調節可能な第二パネルとを用い、前記第一パネルと第二パネルとを建物の側周方向に並べて配置して、該建物の側周を遮蔽する建物用遮蔽体の設置方法であって、前記第二パネルを、側周方向に並設された第一パネルまたは第二パネルに対して側周方向の隙間を空けて設置し、第二パネルにおいて、別体のパネル部どうしを相対的にスライドさせて前記隙間を開閉することを特徴とする建物用遮蔽体の設置方法。
【請求項１４】
一側パネル部と、該一側パネル部に対して厚み方向で重なる他側パネル部とを備えた前記第二パネルの前記一側パネル部および他側パネル部のうち、スライドさせる一方のパネル部におけるパネル本体の上端および下端のうち少なくとも何れかに設けられた側周方向に沿うフレーム部材の側周方向に沿って形成されたスライド用長孔に前記建物側に固定された中間挿入部材を挿入して一方のパネル部を上端および下端のうち少なくとも何れかの中間部で支持した状態とするとともに、他方のパネル部のフレーム部材に形成した係止用孔に挿入部材を挿入した状態で、一方のパネル部を他方のパネル部に対して移動して第二パネルの側周方向の長さを長くして側周方向に並設された第一パネルまたは第二パネルとの間の隙間を閉じて建物の側周を遮蔽し、一方のパネル部を他方のパネル部に対して移動させて第二パネルの側周方向の長さを短くして側周方向に並設された第一パネルまたは第二パネルと間の隙間を空ける請求項１３に記載の建物用遮蔽体の設置方法。
【発明の詳細な説明】
【技術分野】
【０００１】
本発明は、例えばビルの解体の際に用いられる建物用遮蔽体及びパネル構造体、並びに建物用遮蔽体の設置方法に関する。
【背景技術】
【０００２】
ビルの解体工事の際に、騒音や粉塵が解体現場の外部に漏れ出すのを防止するために、ビルの側周を遮蔽体で遮蔽した状態とすることが行われる（例えば、特許文献１参照）。
【０００３】
遮蔽体は、複数のパネル（例えば遮音パネル）をビルの側周方向に並べるよう連結することで組立てられる。一般に、遮蔽体を構成するパネルのサイズ、すなわち左右の長さは決められており、複数のサイズのものが準備されている。そしてパネルは、遮蔽体をビルの側周方向長さに適応するように、ビル毎にサイズを選択して用いられる。
【先行技術文献】
【特許文献】
【０００４】
【特許文献１】特開２００２−３４９０７９号公報
【発明の概要】
【発明が解決しようとする課題】
【０００５】
ところでビルは、ビル毎に形状を異にし、あるいは側周方向長さを異にする。しかしながら、パネルのサイズは決められている。したがって、ビルの側周が過不足なく遮蔽されるようにするためには、決められたサイズのものの他、当該ビル専用のサイズのパネルを用意する必要があった。
【０００６】
しかしながら、ビルの側周が過不足なく遮蔽されるように当該ビル専用のパネルを用意するのには、非常に手間がかかり、また、当該パネルはそのビル専用であるため、工事が終わると他の工事には使用できない。
【０００７】
本発明は、ビル毎にそれ専用の長さのパネルを用意する必要がないため、組立てに必要な手間を抑えることができる建物用遮蔽体及びパネル構造体、並びに建物用遮蔽体の設置方法の提供を目的とする。
【課題を解決するための手段】
【０００８】
本発明の建物用遮蔽体は、建物の側周方向に沿う長さを定めた寸法の第一パネルと、前記建物の側周方向に沿う長さを調節できるよう、厚み方向に重ねられた別体のパネル部を有して該パネル部どうしを相対的にスライド可能にしてなる第二パネルとを備え、前記第一パネルと第二パネルとが、建物の側周方向に並べて配置されて、該建物の側周を遮蔽してなることを特徴としている。
【０００９】
上記構成によれば、建物用遮蔽体は、第一パネルおよび第二パネルを、建物の側周方向に沿わせて連結することで組立てられ、第一パネルのみでは遮蔽しきれない側周部には、第二パネルのパネル部どうしを相対的にスライドさせることで、第二パネルの、側周方向に沿う長さを調節して、建物の側周を遮蔽することができる。
【００１０】
本発明の建物用遮蔽体では、前記第二パネルは、一側パネル部と、該一側パネル部に対して厚み方向で重なる他側パネル部とを備え、前記一側パネル部および他側パネル部の上下端に、フレーム部材が一体に設けられ、前記一側パネル部のフレーム部材と、他側パネル部のフレーム部材とが相対的にスライド可能に係合された構成を採用することができる。
【００１１】
上記構成によれば、一側パネル部のフレーム部材と、他側パネル部のフレーム部材とを相対的にスライドさせて、第二パネルの、側周方向に沿う長さを調節して、建物の側周を遮蔽することができる。
【００１２】
本発明の建物用遮蔽体では、前記第二パネルにおける一側パネル部のフレーム部材の上下端と、該フレーム部材の上下端に対応する他側パネル部のフレーム部材の上下端とが面一となされた構成を採用することができる。
【００１３】
上記構成によれば、建物用遮蔽体を複数段、上下方向に並べたとしても、建物用遮蔽体の間に隙間が発生しないから、外部から建物の内部に風等が侵入するのを防ぐことが可能であるとともに、建物の外部へ塵芥が排出されるのを防ぐことが可能である。
【００１４】
本発明の建物用遮蔽体では、前記第二パネルにおける一側パネル部のフレーム部材および他側パネル部のフレーム部材のうち、少なくとも一方のパネル部のフレーム部材に、前記建物に固定されたパネル部保持用の挿入部材に係止する係止用孔が形成された構成を採用することができる。
【００１５】
上記構成のように、少なくとも一方のパネル部のフレーム部材に、パネル部保持用の挿入部材に係止する係止用孔が形成されていれば、パネル部に、特別に係止用孔を形成するための部材を設ける必要がない。
【００１６】
本発明の建物用遮蔽体では、前記第二パネルは、側周方向両側にある二枚の端側パネル部と、該双方の端側パネル部に対して厚み方向で重なって端側パネル部どうしに亘る中央側パネル部を有する三枚のパネル部を備え、前記二枚の端側パネル部および中央側パネル部の上下端にフレーム部材が設けられ、前記二枚の端側パネル部のそれぞれに設けられたフレーム部材と、中央側パネル部のフレーム部材とが相対的にスライド可能に係合された構成を採用することができる。
【００１７】
上記構成によれば、二枚の端側パネル部と、中央側パネル部とを相対的にスライドさせて、建物の側周方向に沿う第二パネルの長さを調節して、建物側周を遮蔽することができる。
【００１８】
本発明の建物用遮蔽体では、前記第二パネルにおける一側パネル部のフレーム部材と、他側パネル部のフレーム部材とが相対的にスライド可能に係合されるとともに、少なくとも一方のパネル部は、その前記フレーム部材に、前記建物側に固定された中間挿入部材がスライド可能に挿入されるスライド用長孔が設けられ、該スライド用長孔に挿入された中間挿入部材によって中間部が支持された状態で、他方のパネル部に対してスライド可能となされ、さらに前記他方のパネル部のフレーム部材に、前記建物に固定されたパネル部保持用の挿入部材を挿入可能な係止用孔が形成された構成を採用することができる。
【００１９】
上記構成において、建物側に挿入部材および中間挿入部材を固定し、一方のパネル部におけるフレーム部材に形成したスライド用長孔を中間挿入部材に挿入し、他方のパネル部のフレーム部材に形成した係止用孔に挿入部材を挿入した状態で、一方のパネル部を他方のパネル部に対して移動して第二パネルの側周方向の長さを長くし、側周方向に並設された第一パネルまたは第二パネルとの間の隙間を閉じて建物の側周を遮蔽でき、一方のパネル部を他方のパネル部に対して移動させて第二パネルの側周方向の長さを短くすることで、側周方向に並設された第一パネルまたは第二パネルと間の隙間を空けることができる。
【００２０】
本発明は、建物の側周を遮蔽する建物用遮蔽体に用いられて、前記建物の側周方向に沿う長さを調節できるパネル構造体であって、厚み方向に重ねられた別体のパネル部を有して、該パネル部どうしを相対的にスライド可能としていることを特徴としている。
【００２１】
上記構成において、パネル部どうしを相対的にスライドさせることで、パネル構造体の長さを調節して、建物の側周を遮蔽することができる。
【００２２】
本発明のパネル構造体では、一側パネル部と、該一側パネル部に対して厚み方向で重なる他側パネル部とを備え、前記一側パネル部および他側パネル部の上下端に、フレーム部材が一体に設けられ、前記一側パネル部のフレーム部材と、他側パネル部のフレーム部材とが相対的にスライド可能に係合された構成を採用することができる。
【００２３】
上記構成によれば、一側パネル部のフレーム部材と、他側パネル部のフレーム部材とを相対的にスライドさせて、第二パネルの、側周方向に沿う長さを調節して、建物の側周を遮蔽することができる。
【００２４】
本発明のパネル構造体では、一側パネル部のフレーム部材の上下端と、該フレーム部材の上下端に対応する他側パネル部のフレーム部材の上下端とが面一となされた構成を採用することができる。
【００２５】
上記構成によれば、パネル構造体を用いた建物用遮蔽体を複数段、上下方向に並べたとしても、その上下の建物用遮蔽体の間に隙間が発生しないから、外部から建物の内部に風等が侵入するのを防ぐことが可能であるとともに、建物の外部へ塵芥が排出されるのを防ぐことが可能である。
【００２６】
本発明のパネル構造体では、一側パネル部のフレーム部材および他側パネル部のフレーム部材のうち、少なくとも一方のパネル部のフレーム部材に、前記建物と第二パネルとの間に配置されたパネル部保持用の挿入部材に係止する係止用孔が形成された構成を採用することができる。
【００２７】
上記構成のように、少なくとも一方のパネル部に、パネル部保持用の挿入部材に係止する係止用孔が形成されていれば、パネル部に、特別に係止用孔を形成するための部材を設ける必要がない。
【００２８】
本発明のパネル構造体では、側周方向両側にある二枚の端側パネル部と、該双方の端側パネル部に対して厚み方向で重なって端側パネル部どうしに亘る中央側パネル部を有する三枚のパネル部を備え、前記二枚の端側パネル部および中央側パネル部の上下端にフレーム部材が設けられ、前記二枚の端側パネル部のそれぞれに設けられたフレーム部材と、中央側パネル部のフレーム部材とが相対的にスライド可能に係合された構成を採用することができる。
【００２９】
上記構成によれば、二枚の端側パネル部と、中央側パネル部とを相対的にスライドさせて、建物の側周方向に沿う第二パネルの長さを調節して、建物の側周を遮蔽することができる。
【００３０】
本発明のパネル構造体では、一側パネル部のフレーム部材と、他側パネル部のフレーム部材とが相対的にスライド可能に係合されているとともに、少なくとも一方のパネル部は、その前記フレーム部材に、前記建物側に固定された中間挿入部材がスライド可能に挿入されるスライド用長孔が設けられ、該スライド用長孔に挿入された中間挿入部材によって中間部が支持された状態で、他方のパネル部に対してスライド可能となされ、さらに前記他方のパネル部のフレーム部材に、前記建物に固定されたパネル部保持用の挿入部材を挿入可能な係止用孔が形成された構成を採用することができる。
【００３１】
上記構成のパネル構造体では、建物側に挿入部材および中間挿入部材を固定し、一方のパネル部におけるフレーム部材に形成したスライド用長孔を中間挿入部材に挿入し、他方のパネル部のフレーム部材に形成した係止用孔に挿入部材を挿入した状態で、一方のパネル部を他方のパネル部に対して移動して第二パネルの側周方向の長さを長くし、側周方向に並設された第一パネルまたは第二パネルとの間の隙間を閉じて建物の側周を遮蔽し、一方のパネル部を他方のパネル部に対して移動させて第二パネルの側周方向の長さを短くすることで、側周方向に並設された第一パネルまたは第二パネルと間の隙間を空けるよう用いられる。
【００３２】
本発明は、建物の側周方向に沿う長さが定められた寸法の第一パネルと、厚み方向に重ねられた別体のパネル部を有して該パネル部どうしを相対的にスライドさせることで前記建物の側周方向に沿う長さを調節可能な第二パネルとを用い、前記第一パネルと第二パネルとを建物の側周方向に並べて配置して、該建物の側周を遮蔽する建物用遮蔽体の設置方法であって、前記第二パネルを、側周方向に並設された第一パネルまたは第二パネルに対して側周方向の隙間を空けて設置し、第二パネルにおいて、別体のパネル部どうしを相対的にスライドさせて前記隙間を開閉することを特徴とする。
【００３３】
上記建物用遮蔽体の設置方法によれば、建物の側周方向に並設した第一パネルまたは別の第二パネルに対し側周方向の隙間を空けて第二パネルを設置し、第二パネルの側周方向の長さを長くして隙間を閉じて建物の側周を遮蔽することができ、第二パネルの側周方向の長さを短くすることで、隙間を空けて遮蔽を解除することができる。
【００３４】
本発明では、一側パネル部と、該一側パネル部に対して厚み方向で重なる他側パネル部とを備えた前記第二パネルの前記一側パネル部および他側パネル部のうち、スライドさせる一方のパネル部におけるパネル本体の上端および下端のうち少なくとも何れかに設けられた側周方向に沿うフレーム部材の側周方向に沿って形成されたスライド用長孔に前記建物側に固定された中間挿入部材を挿入して一方のパネル部を上端および下端のうち少なくとも何れかの中間部で支持した状態とするとともに、他方のパネル部のフレーム部材に形成した係止用孔に挿入部材を挿入した状態で、一方のパネル部を他方のパネル部に対して移動して第二パネルの側周方向の長さを長くして、側周方向に並設された第一パネルまたは第二パネルとの間の隙間を閉じて建物の側周を遮蔽し、一方のパネル部を他方のパネル部に対して移動させて第二パネルの側周方向の長さを短くして、側周方向に並設された第一パネルまたは第二パネルと間の隙間を空ける建物用遮蔽体の設置方法を採用することができる。
【００３５】
上記建物用遮蔽体の設置方法によれば、側周方向に並設された第一パネルまたは別の第二パネルに対して側周方向の隙間を空けて第二パネルを設置した状態で建物の側周を囲み、係止用孔に挿入部材を挿入して他方のパネル部を保持し、スライド用長孔に中間挿入部材を挿入して一方のパネルを側周方向に移動させて第二パネルの側周方向の長さを長くすることで隙間を閉じて建物の側周を遮蔽し、第二パネルの側周方向の長さを短くすることで、隙間を空けて遮蔽を解除することができる。
【発明の効果】
【００３６】
本発明の建物用遮蔽体及びパネル構造体、並びに建物用遮蔽体の設置方法によれば、第一パネルおよび第二パネルを、建物の側周方向に沿わせて連結することで組立てられ、第一パネルのみでは遮蔽しきれない側周部には、第二パネル部のパネル部どうしを相対的にスライドさせることで、第二パネルの、側周方向に沿う長さが調節されて建物の側周を遮蔽できるから、ビル毎にそれ専用の長さのパネルを用意するといった煩わしさを解消し、組立てに必要な手間を抑え得る。
【図面の簡単な説明】
【００３７】
【図１】本発明の一実施形態に係る建物用遮蔽体の、設置状態を表す平面図である。
【図２】同第二パネルをフックに保持した状態の概略側面図である。
【図３】同第一パネルの正面図である。
【図４】同図３におけるＸ−Ｘ線拡大断面矢視図である。
【図５】同第二パネルの、端側パネル部どうしを側周方向に離間させて中央側パネル部の一部を現した正面図である。
【図６】同第二パネルの、端側パネル部どうしを側周方向に離間させて中央側パネル部を現した背面図である。
【図７】同第二パネルの、端側パネル部どうしを側周方向に離間させて中央側パネル部の一部を現した平面図である。
【図８】同第二パネルの、端側パネル部どうしを接触させた状態の正面図である。
【図９】同第二パネルの側面図である。
【図１０】同第二パネルの、図５におけるＡ−Ａ線拡大断面矢視図である。
【図１１】同第二パネルの、図５におけるＢ−Ｂ線拡大断面矢視図である。
【図１２】本発明の別の実施形態を表す建物用遮蔽体における第二パネルの、端側パネル部どうしを側周方向で当接させた状態の平面図である。
【図１３】本発明の別の実施形態の遮蔽体の設置途中の状態を表す平面図である。
【図１４】同遮蔽体を設置し終えた状態を表す平面図である。
【図１５】本発明の他の実施形態に係る建物用遮蔽体の第二パネルの、積載状体を表す一方向からの断面図である。
【図１６】同第二パネルの、積載状体を表す他方向からの断面図である。
【図１７】本発明のさらに別の実施形態に係る建物用遮蔽体の第二パネルの、要部断面図である。
【発明を実施するための形態】
【００３８】
以下本発明に係る建物用遮蔽体（以下の説明では、単に「遮蔽体」と記載する）を、図面を参照しつつ説明する。本実施形態では、遮蔽体は、ビル（建物の一例）の解体工事の際に、ビルにおける所定の複数階（例えば最上階である八階から五階）の側周を、全域に亘って遮蔽するものとして説明する。
【００３９】
図１に示すように、遮蔽体１は、ビル２の外壁面３側から所定距離Ｌだけ離間した位置に配置される。所定距離Ｌは、足場工４を設置するために設けられている。足場工４は、公知の技術であるので概略のみ説明する。足場工４は、ビル２の躯体にアンカー（図示せず）等の固定具によって固定される枠組体５を備える。
【００４０】
枠組体５は、複数の建枠部材６を備えている。建枠部材６どうしは、ビルの側周方向に沿って所定間隔Ｌ１だけ離間して配置されている。各建枠部材６は、一対の脚部材７と脚部材７どうしを連結する連結部材８とを備えて門型に形成されている。
【００４１】
各建枠部材６は、その幅方向を、外壁面３の対応する面部分に対して直交する方向の垂直平面に沿わせるよう配置されている。図２に示すように、各建枠部材６の脚部材７のうち、外側（ビル２から離れる側）の脚部材７に、第一パネル１０または第二パネル１１を保持するための、挿入部材であるフックＦが取付けられている。足場工４は、複数の足場板９を備え、足場板９どうしは、隣り合う建枠部材６の間を挿通するようにして、建枠部材６に支持されている。
【００４２】
本実施形態では、遮蔽体１は、ビル２の側周方向に沿う長さを定めた寸法を有する複数の第一パネル１０と、ビル２の側周方向に沿う長さを調節できる複数の第二パネル１１とを備えている。第一パネル１０と第二パネル１１とが、ビル２の側周方向に並べて連結されることでビル２の側周に配置されて、遮蔽体１は、ビル２の側周を略等しい高さ範囲で遮蔽してなる。
【００４３】
第一パネル１０の構成は公知の技術であるので、図３および図４に基づいて、以下に概略構成を説明する。第一パネル１０は、決められた寸法の矩形に形成されたパネル本体１００と、パネル本体１００の四辺部（外辺部）１０１に装着されたフレーム部材１０２とを備える。このような構成の第一パネル１０は、ビルの側周方向に沿う、決められた長さ（矩形の一辺の長さ）を、例えば、６００、９００、１２００、１５００、１８００ｍｍに設定されている。
【００４４】
フレーム部材１０２は、上フレーム部材１０３、下フレーム部材１０４、右フレーム部材１０５、および左フレーム部材１０６の組み合わせから構成されている。各フレーム部材１０３，１０４，１０５，１０６は、同一断面形状に形成されており、パネル本体１００の四辺部１０１を嵌合させる嵌合溝１０７と、後方へ向けて延設されたフランジ部１０８とを一体的に備えている。特に、上フレーム部材１０３および下フレーム部材１０４のフランジ部１０８には、その端側寄りに、フックＦが挿通される楕円孔１０９が形成されている。
【００４５】
図５、６、７、１０に示すように、第二パネル１１は、三個のパネル部を備えるパネル構造体である。すなわち、第二パネル１１は、ビル２の側周方向両側に配置される一対の端側パネル部１２，１３と、双方の端側パネル部１２，１３に対して厚み方向（以下、「前後方向」と記載する）ＦＲで重なって端側パネル部１２，１３どうしに亘る中央側パネル部１４とを有する。なお、前後方向ＦＲは、第二パネル１１における厚み方向である。また、中央側パネル部１４において、ビル２の側周方向に沿う長さは、端側パネル部１２，１３における、ビル２の側周方向に沿う長さの約２倍に設定されている。そして、第二パネル１１はビル２の外壁面３に倣う方向に配置されるから、前後方向ＦＲもまた、ビル２の外壁面３の方向に応じて変化する（図１参照）。
【００４６】
端側パネル部１２，１３どうしは、本実施形態においては、第二パネル１１の側周方向両側において対称な構成である。このため、一方の端側パネル部１２の構成の説明が、他方の端側パネル部１３の構成の説明に兼用される。
【００４７】
端側パネル部１２は、矩形の端側パネル本体１５と、端側パネル本体１５の四辺部（外辺部）に装着された端側フレーム部材１２０とを備える。換言すれば、端側パネル本体１５は、矩形の端側フレーム部材１２０に保持されている。なお、端側パネル本体１５は、遮音性に優れた材料で形成されている。
【００４８】
端側フレーム部材１２０は、端側上フレーム部材１６、端側下フレーム部材１７、端側右フレーム部材１８、および端側左フレーム部材１９を備える。端側上フレーム部材１６は、端側パネル本体１５の上辺部に装着される。端側下フレーム部材１７は、端側パネル本体１５の下辺部に装着される。端側右フレーム部材１８は、端側パネル本体１５の縦方向の一辺部（図５において右側の一辺）に装着される。端側左フレーム部材１９は、縦方向の他辺部（図５において左側の一辺）に装着される。
【００４９】
端側上フレーム部材１６、端側下フレーム部材１７、および端側右フレーム部材１８の断面形状は同一である。ここでは便宜上、端側下フレーム部材１７の構成を、図１０、１１を参照しつつ説明する。端側下フレーム部材１７の構成の説明が、端側上フレーム部材１６および端側右フレーム部材１８の構成の説明に兼用される。
【００５０】
端側下フレーム部材１７は、表側保持部２０と裏側保持部２１とを備える。表側保持部２０は、表側（ビル２から離れる側であり、正面側である）に配置されて端側パネル本体１５を保持するよう構成されている。裏側保持部２１は表側保持部２０の裏側（ビル２側であり、背面側である）に配置されるとともに中央側パネル部１４を保持して案内可能なように構成されている。表側保持部２０と裏側保持部２１とは、一体的に形成されている。
【００５１】
表側保持部２０は、前フレーム本体２２、前保持条片２３、およびガイドレール２４を備える。前フレーム本体２２は、前板２２ａ、後板２２ｂ、天板２２ｃ、および底板２２ｄを備えて断面矩形に形成されている。この前フレーム本体２２は、端側パネル本体１５を保持できるよう、その下辺部の長さに比べて長く形成されている。
【００５２】
前保持条片２３は、前板２２ａの上下方向途中部に一体的に形成され端側パネル本体１５の下辺部を嵌合して保持するよう構成されている。具体的に、前保持条片２３は、突出部２３ａと、立上部２３ｂとを備えている。突出部２３ａは、前板２２ａの板面の上下方向途中部分から、端側パネル本体１５の下辺部の厚みに相当する分だけ前方に向けて突出されている。立上部２３ｂは、突出部２３ａの先端部から上方へ向けて延長されている。前保持条片２３は、前フレーム本体２２の前板２２ａの長手方向（側周方向）に沿って形成されている。
【００５３】
ガイドレール２４は、前フレーム本体２２の後板２２ｂの上下方向途中にあって後方に向けて突出されている。ガイドレール２４は、前フレーム本体２２の後板２２ｂの長手方向に沿って形成されている。ガイドレール２４の位置は、前保持条片２３に比べて低い位置に設定されている。ガイドレール２４の断面形状は、特に限定されるものではなく、矩形、半円形、三角形等が考えられるが、この場合は、矩形に形成されている。
【００５４】
裏側保持部２１は、前フレーム本体２２の底板２２ｄの後端から、さらに後方へ向けて延長するよう形成されている。裏側保持部２１は、支持板部２５と、突起２６とを備えている。
【００５５】
支持板部２５は、底板２２ｄの後端からさらに後方へ向けて突出するよう延長され、前フレーム本体２２の長手方向に沿って形成されている。突起２６は、支持板部２５の後端から上方へ向けて突出するよう形成され、支持板部２５の長手方向に沿って形成されている。支持板部２５の左右両側寄りに、左右方向を長径とする、係止用孔である楕円孔２５ａ，２５ａが形成されている（図１１参照）。楕円孔２５ａ，２５ａは、建枠部材６の脚部材７に固定されたフックＦに係止される。
【００５６】
楕円孔２５ａ，２５ａは、端側パネル部１２，１３を左右方向で合わせて、第二パネル１１を正面視した場合に、端側パネル部１２，１３の裏側に中央側パネル部１４が隠蔽された際（図８参照）にでも、中央側パネル部１４によって全部を隠されない位置に設定されている。
【００５７】
前述したように、端側上フレーム部材１６、端側下フレーム部材１７、および端側右フレーム部材１８の断面形状は同一である。そして、端側下フレーム部材１７の構成は、上述したとおりである。すなわち、端側上フレーム部材１６は端側下フレーム部材１７と同じ物を上下反転させて用いられている。
【００５８】
但し、端側右フレーム部材１８は、上下方向に沿って配置される構成と、長手方向の長さ（端側下フレーム部材１７においては側周方向の長さ、端側右フレーム部材１８においては上下方向長さ）を異ならせている構成、楕円孔２５ａ，２５ａの有無という構成で、端側下フレーム部材１７の構成と異なる。
【００５９】
具体的には、端側右フレーム部材１８は、端側下フレーム部材１７に比べて短く形成されている。端側左フレーム部材１９は、端側右フレーム部材１８の断面構成（端側下フレーム部材１７の断面構成でもある）に対して、裏側保持部２１を省略した形態に形成されている。端側左フレーム部材１９は、端側右フレーム部材１８と等しい長さに設定されている。また、楕円孔２５ａ，２５ａは、端側下フレーム部材１７および端側上フレーム部材１６には形成されているのに対して、端側右フレーム部材１８には備えていない。また、端側左フレーム部材１９は支持板部２５を有しないから、端側左フレーム部材１９も楕円孔２５ａ，２５ａを有しない。
【００６０】
これら端側上フレーム部材１６、端側下フレーム部材１７、端側右フレーム部材１８、および端側左フレーム部材１９が、それぞれ端側パネル本体１５の一辺部を保持している。具体的に、端側パネル本体１５の四辺部が、端側上フレーム部材１６、端側下フレーム部材１７、端側右フレーム部材１８、および端側左フレーム部材１９における前フレーム本体２２の前板２２ａと前保持条片２３との間に嵌め込まれることで、端側パネル本体１５は、各端側フレーム部材に保持されている。
【００６１】
端側パネル本体１５は、各端側フレーム部材の前フレーム本体２２の後板２２ｂに、ねじ（皿ねじ）ｎ１によって固定されている。各前フレーム本体２２の後板２２ｂには、ねじｎ１の頭部ｎａを後板２２ｂから突出させないようにする凹部２２ｅが形成されている。すなわち、ねじｎ１を前フレーム本体２２および端側パネル本体１５に螺合して、前フレーム本体２２を端側パネル本体１５に固定した状態で、頭部ｎａは凹部２２ｅに没する。
【００６２】
端側上フレーム部材１６、端側下フレーム部材１７、端側右フレーム部材１８、および端側左フレーム部材１９のうち、端側上フレーム部材１６および端側右フレーム部材１８のうちの半分の領域は一体物であり、一つの型材において、隅部となる特定部位をほぼ９０度に切欠いて、該型材を折り曲げることで形成されている。また、端側下フレーム部材１７および端側右フレーム部材１８のうちの残りの半分の領域は一体物であり、一つの型材において、隅部となる特定部位を同じくほぼ９０度に切欠いて、該型材を折り曲げることで形成されている。
【００６３】
端側右フレーム部材１８は、半分の領域の端面どうしを突き合わせて固定されている。なお、端側上フレーム部材１６および端側左フレーム部材１９、端側下フレーム部材１７および端側左フレーム部材１９は、それぞれ隅部どうしに亘れた連結部材（例えばＬ字形状に形成されたアングル部材）によって連結されている。
【００６４】
なお、図５、図８および図９に示すように、端側パネル部１２において、端側右フレーム部材１８の右側面には、遮蔽体１の設置に際して、隣り合うパネル（第一パネル１０または第二パネル１１）の側面に当接して隣り合うパネルどうしの側周方向の隙間を生じさせないようにするための、埋め部材２７が取付けられている。埋め部材２７は、平面視して筒状の部材を半割りした形状に形成され、開放側を側面に接触させて取付けられている。
【００６５】
図５ないし図１１を参照して、中央側パネル部１４は、矩形の中央側パネル本体３０と、中央側パネル本体３０の四辺部（外辺部）に装着された中央部フレーム部材とを備える。換言すれば、中央側パネル本体３０は、矩形の中央側フレーム部材１４０に保持されている。なお、中央側パネル本体３０は、遮音性に優れた材料で形成されている。特に採光のためには、遮音性のあるポリカーボネート樹脂を用いることが好ましい。
【００６６】
中央側フレーム部材１４０は、中央側上フレーム部材３１、中央側下フレーム部材３２、中央側右フレーム部材３３、および中央側左フレーム部材３４を備える。中央側上フレーム部材３１は、中央側パネル本体３０の上辺部に装着される。中央側下フレーム部材３２は、中央側パネル本体３０の下辺部に装着される。中央側右フレーム部材３３は、中央側パネル本体３０の縦方向の一辺部（図６において左側の一辺）に装着される。中央側左フレーム部材３４は、縦方向の他辺部（図６において右側の一辺）に装着される。
【００６７】
中央側上フレーム部材３１、中央側下フレーム部材３２、中央側右フレーム部材３３、および中央側左フレーム部材３４の断面形状は同一である。ここでは、中央側下フレーム部材３２の構成を、図１０を参照しつつ説明する。中央側下フレーム部材３２の構成の説明が、中央側上フレーム部材３１、中央側右フレーム部材３３、および中央側左フレーム部材３４の構成の説明に兼用される。
【００６８】
中央側下フレーム部材３２は、上部に配置された上側保持部３５と、下部に配置された被案内部３６とを備える。上側保持部３５と被案内部３６とは、一体的に形成されている。
【００６９】
上側保持部３５は、断面矩形形状に形成された後フレーム本体３７と、中央側パネル本体３０の下辺部を挟持して保持する後保持条片３８，３９とを備える。後フレーム本体３７は、側周方向を長手方向として延長されている。
【００７０】
後保持条片３８，３９は、後フレーム本体３７の天板３７ａに、上方へ向けて延長されるよう一体的に形成されている。後保持条片３８，３９は前後一対で設けられている。後保持条片３８，３９どうしは、前後方向ＦＲに離間して配置されており、後保持条片３８，３９の間に、中央側パネル本体３０の下辺部が嵌め込まれる。後保持条片３８，３９は、前保持条片２３に平行に配置されている。
【００７１】
後フレーム本体３７は、支持板部２５の前後方向ＦＲ領域内に収まるよう配置されている。中央側パネル本体３０は、支持板部２５の前後方向ＦＲ領域内に収まる位置に配置されている。すなわち、後保持条片３８，３９における保持位置が、支持板部２５の前後方向ＦＲ領域内に収まるよう配置されている。
【００７２】
後保持条片３８，３９の間に嵌め込まれた中央側パネル本体３０の下辺部に、後側の後保持条片３９から取付ねじｎ２が螺合して、中央側パネル本体３０の下辺部が、中央側下フレーム部材３２に固定されている。
【００７３】
被案内部３６は、端側パネル部１２，１３の端側下フレーム部材１７に、側周方向に沿って案内可能な部分である。被案内部３６は、後フレーム本体３７の底板３７ｂに、下方へ突出するよう一体的に形成されている。被案内部３６は、前面被案内溝部４０と、下面被案内溝部４１と、脱落防止条片４２と、被案内突条４５とを備える。
【００７４】
前面被案内溝部４０の断面はガイドレール２４の断面と相対形状に形成され、前面被案内溝部４０は、ガイドレール２４に遊嵌する溝である。下面被案内溝部４１の断面は、裏側保持部２１の突起２６の断面に相対形状に形成されて突起２６に遊嵌する溝である。被案内突条４５は、前面被案内溝部４０と下面被案内溝部４１との間にあって、ガイドレール２４と裏側保持部２１との間に遊嵌されている。換言すれば、被案内突条４５は、裏側保持部２１にスライド可能に係止されている。
【００７５】
脱落防止条片４２は、下面被案内溝部４１の後側にあって、突起２６をその後側で係止する部分である。脱落防止条片４２は、被案内部３６の上下方向途中部分から後方へ向けて突出する亘り部４３と、亘り部４３の後端から下方へ向けて延長された押え部４４とを備える。
【００７６】
押え部４４は、後保持条片３８，３９、中央側パネル部１４等と平行な板状に形成されている。特に、押え部４４の外端面４４ａは、支持板部２５の外端面２５ｃと面一となるよう設定されている。なお、外端面４４ａ，２５ｃとは、中央側パネル本体３０の板面中心を基準として、該板面中心から板面に沿う方向の外方側に離れた端面である。
【００７７】
前述したように、中央側上フレーム部材３１、中央側下フレーム部材３２、中央側右フレーム部材３３、中央側左フレーム部材３４の断面形状は同一である。そして、中央側下フレーム部材３２の構成は、上述したとおりである。すなわち、中央側上フレーム部材３１は中央側下フレーム部材３２と同じ物を上下反転させて用いられている。
【００７８】
但し、中央側右フレーム部材３３および中央側左フレーム部材３４は、上下方向に沿って配置される構成と、長手方向の長さ（中央側下フレーム部材３２においては側周方向の長さ、中央側右フレーム部材３３においては上下方向長さ）を異ならせている構成、図１１に示すように、ストッパＳ，Ｓを備えるという構成の点で中央側下フレーム部材３２の構成と異なる。
【００７９】
具体的に、中央側右フレーム部材３３および中央側左フレーム部材３４は、中央側下フレーム部材３２に比べて短く形成されている。また、中央側右フレーム部材３３および中央側左フレーム部材３４は、ストッパＳ，Ｓを備えるが、中央側上フレーム部材３１および中央側下フレーム部材３２はストッパＳ，Ｓを備えない。
【００８０】
ストッパＳ，Ｓは、中央側右フレーム部材３３および中央側左フレーム部材３４のそれぞれにおいて、その前面側にあって、上下方向に沿って取付けられている。すなわちストッパＳ，Ｓは、端側パネル本体１５と、中央側パネル本体３０との間にある。ストッパＳ，Ｓは断面矩形の環状に形成され、その側面Ｓ１，Ｓ１が、端側右フレーム部材１８、端側左フレーム部材１９の前フレーム本体２２の天板２２ｃに当接可能な面である。
【００８１】
端側パネル部１２，１３の裏側に中央側パネル部１４が隠蔽された際にでも、楕円孔２５ａ，２５ａが中央側パネル部１４によって全部を隠されない位置に設定されている構成は、前フレーム本体２２の天板２２ｃと、ストッパＳ，Ｓの側面Ｓ１，Ｓ１との位置関係の設定による。
【００８２】
これら中央側上フレーム部材３１、中央側下フレーム部材３２、中央側右フレーム部材３３、および中央側左フレーム部材３４が、それぞれ中央側パネル本体３０の一辺部を保持している。具体的に、中央側パネル本体３０の四辺部が、中央側上フレーム部材３１、中央側下フレーム部材３２、中央側右フレーム部材３３、および中央側左フレーム部材３４における後保持条片３８，３９に挟持されるよう嵌め込まれることで、中央側パネル本体３０は、中央側フレーム部材１４０に保持されている。中央側パネル本体３０は、中央側フレーム部材１４０の後保持条片３９に、その後方から螺合するねじｎ２によって固定されている。
【００８３】
中央側上フレーム部材３１、中央側下フレーム部材３２、中央側右フレーム部材３３、および中央側左フレーム部材３４のうち、隣り合う中央側フレーム部材１４０は、隣り合う中央側フレーム部材１４０の隅部どうしに亘れた連結部材（例えばＬ字形状に形成されたアングル部材）によって連結されている。
【００８４】
上記構成の遮蔽体１は、ビル２の解体工事の際に用いられる。その場合、遮蔽体１は、ビル２における所定の複数階（例えば最上階である八階から五階）の側周を、全域に亘って遮蔽するように用いられる。
【００８５】
ビル２における所定の複数階の側周を遮蔽させるために、一つの遮蔽体１では上下方向高さが不足する場合は、複数の遮蔽体１を上下方向に組合せて設置することになる。但し、以下の説明では、一つの遮蔽体１の作用についての説明が、他の遮蔽体１の作用の説明に兼用される。
【００８６】
遮蔽体１は、ビル２の外壁面３に設置された足場工４に設置される。足場工４には、ビル２の側周方向に沿う長さが定められた寸法を有する複数の第一パネル１０と、側周方向の長さを調節可能な第二パネル１１とが、ビル２の側周方向に沿うよう、隣り合って配置される。また、図２に示すように、第一パネル１０および第二パネル１１は、何れも楕円孔２５ａ，２５ａ（但し、第一パネル１０の長孔は図示していない）をフックＦに係止することで、足場工４に保持される。
【００８７】
遮蔽体１の設置に際し、予めビル２の側周方向の距離は、わかっている。また、第一パネル１０は、決められた寸法を有している。このため、遮蔽体１の設置に際し、何れの寸法を有する第一パネル１０が幾つ準備されていればよいかを、知ることができる。しかしながら、特に、図１に示すビル２のように、平面視して単純な矩形でない形状のビル２では、第一パネル１０のみではビル２の側周方向を隙間なく、全域にわたって遮蔽することはできない。
【００８８】
このため、第一パネル１０の設置だけでは不足する側周方向領域に、第二パネル１１が用いられる。第二パネル１１は、側周方向の長さを調節可能であるから、遮蔽が不足する側周方向領域である、その側周方向の長さに応じて第二パネル１１の長さを調節して、足場工４に設置する。これによって、ビル２の側周方向全領域を遮蔽することができる。
【００８９】
具体的に、第二パネル１１の長さの調節は、端側パネル部１２，１３と中央側パネル部１４とを、側周方向に相対的に移動させることで行うことができる。さらに具体的には、端側パネル部１２と中央側パネル部１４とが側周方向に相対的に移動可能であり、端側パネル部１３と中央側パネル部１４とが側周方向に相対的に移動可能である。
【００９０】
ここで、図５に示すような、端側パネル部１２，１３どうしを離間させた状態（開状態）から、例えば右側の端側パネル部１２を動かさずに、中央側パネル部１４を右方向へ移動させて、第二パネル１１の側周方向の長さを小さくする場合を考えるとする。
【００９１】
この場合、中央側パネル部１４および左側の端側パネル部１３が、右方向へ移動して、第二パネル１１の長さが変更され、図８に示すような、端側パネル部１２，１３の端側フレーム部材どうしが接触した状態（閉状態）に近付く。すなわち、第二パネル１１の長さが短くなる。
【００９２】
このように、右側の端側パネル部１２を動かさずに、中央側パネル部１４を右方向へ移動する場合では、中央側パネル部１４において、中央側下フレーム部材３２が右側の端側パネル部１２の端側下フレーム部材（裏側保持部２１およびガイドレール２４）に、側周方向（右方向）に案内される。すなわち、前面被案内溝部４０がガイドレール２４に案内され、下面被案内溝部４１が突起２６に案内され、被案内部３６が端側下フレーム部材１７の裏側保持部２１に案内される。
【００９３】
そして、中央側右フレーム部材３３のストッパＳが、右側の端側パネル部１２の表側保持部２０における天板２２ｃに当接すると、中央側パネル部１４は、それ以上移動できなくなる。
【００９４】
以上の動作は、左側の端側パネル部１３を動かさずに、中央側パネル部１４（および右側の端側パネル部１２）を左側へ移動させる場合においても同様である。
【００９５】
また、本実施形態の第二パネル１１では、中央側パネル部１４に対して、右側の端側パネル部１２、または（および）左側の端側パネル部１３を移動させることが可能である。この場合では、中央側パネル部１４の中央側下フレーム部材３２に、右側の端側パネル部１２の端側下フレーム部材１７、あるいは左側の端側パネル部１３の端側下フレーム部材１７が側周方向に案内される。
【００９６】
端側パネル部１２，１３に対して中央側パネル部１４を移動させる場合も、中央側パネル部１４に対して端側パネル部１２，１３を移動させる場合も、ストッパＳが端側パネル部１２，１３の表側保持部２０における天板２２ｃに当接すると、それ以上縮まらない。すなわち、図８に示すように、端側パネル部１２，１３の端側フレーム部材どうしが接触した閉状態となる。
【００９７】
図８に示す閉姿勢から、第二パネル１１の側周方向の長さを長くする場合は、中央側パネル部１４に対して、端側パネル部１２と端側パネル部１３とを互いに側周方向に離間させる。この場合、中央側パネル部１４の中央側下フレーム部材３２と端側パネル部１２，１３の端側下フレーム部材１７とにおける案内部分、被案内部分との関係は、端側パネル部１２，１３に対して中央側パネル部１４を移動させる場合とは逆になる。すなわち、中央側下フレーム部材３２に対して端側下フレーム部材１７が案内される。
【００９８】
何れにしても、中央側パネル部１４と端側パネル部１２，１３とを、側周方向に相対的に移動させることで、第二パネル１１の側周方向の長さを調節することができる。したがって、遮蔽が不足する側周方向領域である、その側周方向の長さに応じて、第二パネル１１の長さを調節して、足場工４に設置することで、ビル２の側周方向全領域が遮蔽される。これによって、遮蔽体１は、ビル２の外部へ騒音を漏らしたり、粉塵を飛散させたり、あるいはビル２から取り外されたボルト等が、ビル２の外部へ飛来落下するのを防止することができる。
【００９９】
特に、第二パネル１１の長さを調節する際には、端側パネル部１２，１３のうちの一方をフックＦに保持させた状態で、他方の端側パネル部１２，１３、中央側パネル部１４を移動させるようにして、他方の端側パネル部１２，１３をフックＦに保持させるようにすると、第二パネル１１の長さ調節作業がし易く、しかも双方の端側パネル部１２，１３がフックＦに保持されるから、第二パネル１１を安定した状態で設置させることができる。
【０１００】
また、第二パネル１１の長さを調節して遮蔽が不足する側周方向領域を遮蔽するから、パネル部を切断してその長さ調節をする必要がない。したがって、遮蔽体１の組立てに必要な手間を大幅に抑え得る。
【０１０１】
さらに、第二パネル１１では、押え部４４の外端面４４ａは、支持板部２５の外端面２５ｃと面一となるよう設定されている。この構成により、第二パネル１１の長さを調節して、端側パネル部１２，１３と中央側パネル部１４が並ぶ状態となったとしても、端側パネル部１２，１３の端側上フレーム部材１６と、中央側パネル部１４の中央側上フレーム部材３１との上端は面一になる。また、端側パネル部１２，１３の端側下フレーム部材１７と、中央側パネル部１４の中央側下フレーム部材３２との下端とは面一になる。
【０１０２】
このため、遮蔽体１を上下方向に複数並べたとしても、上下の遮蔽体１どうしの間に隙間が生じない。したがって、風が遮蔽体１の間から入り込んだり、逆に、塵芥がビル２の外へ排出されてしまったりする状態を防止することができ、作業環境の向上を図ることができる。
【０１０３】
なお、第二パネル１１では、中央側パネル部１４が内側（ビル２側）に配置されるようにし、端側パネル部１２，１３が外側（ビル２から離れる側）に配置されるようにしてもよいし、中央側パネル部１４が外側、端側パネル部１２，１３が内側に配置されるようにしてもよい。
【０１０４】
本実施形態の第二パネル１１では、端側パネル部１２，１３の裏側保持部２１は、前フレーム本体２２の底板２２ｄの後端から後方へ向けて延長するよう形成され、第二パネル１１の中央側下フレーム部材３２が、端側パネル部１２，１３の裏側保持部２１の内側にあって、裏側保持部２１と前後方向で重なる位置にある。
【０１０５】
具体的には、後フレーム本体３７は、支持板部２５の前後方向ＦＲ領域内に収まるよう配置されている。中央側パネル本体３０は、支持板部２５の前後方向ＦＲ領域内に収まる位置に配置されている。すなわち、後保持条片３８，３９における保持位置が、支持板部２５の前後方向ＦＲ領域内に収まるよう配置されている。このため、大掛かりな保持部分を設けることなく端側パネル部１２，１３に中央側下フレーム部材３２を保持させることができ、第二パネル１１全体としてその前後方向ＦＲの長さ（厚み）を増大させることがない。
【０１０６】
また、支持板部２５の板面に、フックＦが係止する楕円孔２５ａ，２５ａが形成されている。このように、フックＦを係止する楕円孔２５ａ，２５ａを支持板部２５に形成することで、フックＦを係止する部分を特別に設ける必要がないから、第二パネル１１全体としてその前後方向ＦＲの長さ（厚み）を増大させることがない。
【０１０７】
さらに、突起２６の前面が、被案内部３６の被案内突条４５の後面と前後方向ＦＲで当接することで、中央側パネル部１４が端側パネル部１２，１３に対して後方へ脱落するのを確実に防止できる。
【０１０８】
本発明に係る遮蔽体１は、ビル（建物）２の側周方向に沿う長さを定めた寸法の第一パネル１０と、ビル２の側周方向に沿う長さを調節できるよう、前後方向（厚み方向）に重ねられた別体のパネル部（中央側パネル部１４および端側パネル部１２，１３）を有してパネル部どうしを相対的にスライド可能にしてなる第二パネル１１とを備え、第一パネル１０と第二パネル１１とが、ビル２の側周方向に並べて連結されることでビル２の側周に配置されて、ビルの側周を略等しい高さ範囲で遮蔽してなる。
【０１０９】
上記構成の遮蔽体１は、第一パネル１０および第二パネル１１を、ビル２の側周方向に沿わせて連結することで組立てられ、第一パネル１０のみでは遮蔽しきれない側周部には、第二パネル１１のパネル部どうしを相対的にスライドさせることで、第二パネル１１の、側周方向に沿う長さを調節して、ビル２の側周を遮蔽することができる。
【０１１０】
本発明に係る遮蔽体１では、第二パネル１１は、端側パネル部（一側パネル部）１２，１３と、端側パネル部１２，１３に対して前後方向で重なる中央側パネル部（他側パネル部）１４とを備え、端側パネル部１２，１３および中央側パネル部１４のうちの何れか一方のパネル部の外辺部に、フレーム部材が装着され、フレーム部材は、前後方向に突出する支持板部２５を備え、端側パネル部１２，１３および中央側パネル部１４のうちの他方のパネル部を、支持板部２５をガイドとしてスライド可能としている。
【０１１１】
上記構成によれば、端側パネル部１２，１３と中央側パネル部１４とは、支持板部２５をガイドとして相対的にスライドすることで、側周方向に沿う長さが調節され、端側パネル部１２，１３と中央側パネル部１４とは、前後方向に重なっていても、何れか一方のパネル部の外辺部に装着されたフレーム部材に備えた支持板部２５がガイドとなるから、第二パネル１１の厚みが増大するのを抑えられる。
【０１１２】
本発明に係る遮蔽体１は、支持板部２５の板面に、ビル２と第二パネル１１との間に配置されたパネル部保持用のフックＦに係止する長孔（係止用孔）２５ａ，２５ａを形成している。なお、本実施形態では、フックＦに係止する係止用孔は楕円孔２５ａ，２５ａであるが、丸孔であってもよい。
【０１１３】
上記構成のように、何れか一方のパネル部の外辺部に装着されたフレーム部材に備えた支持板部２５に、パネル部保持用のフックＦに係止する楕円孔２５ａ，２５ａが形成されていれば、第二パネル１１に、特別に楕円孔２５ａ，２５ａを形成するための部材を設ける必要がなく、したがって、その分だけ第二パネル１１の厚みが増大するのを抑えられる。
【０１１４】
本発明に係る遮蔽体１では、第二パネル１１は、側周方向両側にある端側パネル部１２，１３と、双方の端側パネル部１２，１３に対して前後方向ＦＲで重なって端側パネル部１２，１３どうしに亘る中央側パネル部１４とを有する三枚のパネル部を備え、端側パネル部１２，１３および中央側パネル部１４のうち少なくとも双方の端側パネル部１２，１３のそれぞれの外辺部に、フレーム部材が装着され、フレーム部材は、前後方向ＦＲに突出する支持板部２５を備え、中央側パネル部１４が、支持板部２５をガイドとしてスライド可能とされている。
【０１１５】
上記構成によれば、中央側パネル部１４と双方の端側パネル部１２，１３とは、支持板部２５をガイドとして相対的にスライドすることで、側周方向に沿う長さが調節され、中央側パネル部１４と双方の端側パネル部１２，１３、前後方向ＦＲに重なっていても、何れか一方のパネル部の外辺部に装着されたフレーム部材に備えた支持板部２５がガイドとなるから、三枚のパネル部を備えていても、第二パネル１１の厚みが増大するのを抑えられる。
【０１１６】
本発明に係る第二パネル（パネル構造体）１１は、ビル２の側周を略等しい高さ範囲で遮蔽する遮蔽体１に用いられ、ビル２の側周方向に沿う長さを調節できるよう、厚み方向に重ねられた、端側パネル部１２，１３、中央側パネル部１４どうしを相対的にスライド可能にしてなる。
【０１１７】
上記構成によれば、端側パネル部１２，１３、中央側パネル部１４どうしを相対的にスライドを相対的にスライドさせることで、第二パネル１１のビル２の側周方向に沿う長さを調節して、遮蔽体１が組立てられる。この構成では、何れのパネル部が内側、あるいは外側に位置するように、遮蔽体１に組み込まれてもよい。
【０１１８】
本発明に係る遮蔽体１は、上記実施形態に限定されるものではない。また、本発明に係る遮蔽体１は、上記した作用効果に限定されるものではない。本発明に係る遮蔽体１は、本発明の主旨を逸脱しない範囲で種々の変更が可能である。
【０１１９】
例えば、上記実施形態では、係止用孔は楕円孔とした。しかしながら、図１２ないし図１４に示すように、係止用孔を、左右方向（支持板部２５の長手方向に沿う方向）を長径とするスライド用長孔２５ｂとすることもできる。この場合、支持板部２５の左側寄り（一方寄り）の係止用孔のみをスライド用長孔２５ｂとしている。すなわち、一対の端側パネル部１２，１３のうち、端側パネル部１３に係止用孔であるスライド用長孔２５ｂが形成されている。
【０１２０】
スライド用長孔２５ｂは、楕円孔２５ａに比べて充分に長径を長く形成されている。具体的には、支持板部２５の長さの半分以上の長さに設定されている。スライド用長孔２５ｂは、端部フックＦ１を挿入した状態で後述する隙間δを形成でき、また、端側パネル部１２に対して端側パネル部１３を側周方向に移動して隙間δを閉じることができる長さを有する。
【０１２１】
この実施形態における第二パネル１１と、上記実施形態における第二パネル１１との構造上の相違は、係止用孔としてスライド用長孔２５ｂとしているか、楕円孔２５ａとしているかという点であり、他の構成は上記実施形態と同様であるので、同一の符号を付してその説明を省略する。
【０１２２】
そして上記構成の遮蔽体１は、ビル２の解体工事の際に用いられる。この場合、遮蔽体１は、例えばビル２における所定の複数階（例えば最上階である八階から五階である４階分に相当する高さ）の側周を、全域に亘って遮蔽するように用いられる。
【０１２３】
ビル２における所定の複数階の側周を遮蔽させるために、一つの遮蔽体１では上下方向高さが不足する場合は、複数の遮蔽体１を上下方向に組合せて設置することになる。但し、以下の説明では、一つの遮蔽体１の作用についての説明が、他の遮蔽体１の作用の説明に兼用される。
【０１２４】
遮蔽体１は、ビル２の外壁面３に設置された足場工４に設置される。足場工４には、ビル２の側周方向に沿う長さが定められた寸法を有する複数の第一パネル１０と、側周方向の長さを調節可能な第二パネル１１とが、ビル２の側周方向に沿うよう、隣り合って配置される。
【０１２５】
また、各建枠部材６の脚部材７のうち、外側の脚部材７に、第一パネル１０または第二パネル１１を保持するための、挿入部材である端部フックＦ、中間フック（中間挿入部材に相当する）Ｆ１が取付けられている。本実施形態では、平面視して端部フックＦ、中間フックＦ１は、側周方向に並べられた一対の係止部Ｆａ，Ｆｂを備えている。各係止部Ｆａ，Ｆｂは、先端部が上方へ向けられた延設片を備えている。
【０１２６】
第二パネル１１の長さの調節は、端側パネル部１２，１３と中央側パネル部１４とを、側周方向に相対的に移動させることで行うことができる。さらに具体的には、端側パネル部１２と中央側パネル部１４とが側周方向に相対的に移動可能であり、端側パネル部１３と中央側パネル部１４とが側周方向に相対的に移動可能である。すなわち、第二パネル１１の長さを小さくしたり、大きくしたりする手順は、上記実施形態と同様であるので省略する。
【０１２７】
次に、遮蔽体１の設置方法を説明する。本実施形態では、前記所定の複数階分の高さに相当するよう複数枚の第一パネル１０を縦方向に並べて第一パネル縦群（図示および符号省略）とし、第一パネル縦群をビル２の側周方向に複数並べる。さらに、側周方向両端部の第一パネル縦群の間に、第二パネル１１を配置する。この第二パネル１１は、第一パネル縦群と同様に、前記所定の複数階分の高さに相当するよう複数枚の第二パネル１１を縦方向に並べて第二パネル縦群（図示および符号省略）としたものである。
【０１２８】
上記のように構成した遮蔽体１のうち、第一パネル縦群をビル２の下階から上階へ上昇させる。続いて、第二パネル縦群をビル２の下階から上階へ上昇させる。この場合、第二パネル縦群の各第二パネル１１においては、端側パネル部１２に対して端側パネル部１３を側周方向に移動して側周方向の長さを縮めておき、第一パネル縦群における各第一パネル１０との間に側周方向の隙間δを生じさせるようにする。
【０１２９】
そうすると、第二パネル縦群をビル２の下階から上階へ上昇させた際に、例えば第二パネル縦群に風荷重が働いたり、第二パネル縦群が多少アンバランスな状態で上階へ向けて上昇させられたりしても、第二パネル縦群に働く負荷が隙間δによって吸収され、第二パネル縦群が第一パネル縦群に衝突したり、重なったりする状態を防止することが可能である。
【０１３０】
遮蔽体１を所定の上階まで上昇させた後は、予め足場工４に固定してある端部フックＦあるいは中間フックＦ１に、第一パネル縦群の各第一パネル１０、第二パネル縦群の各第二パネル１１を保持させる。
【０１３１】
具体的には、第一パネル縦群においては、第一パネル１０が備えた楕円孔１０９を、端部フックＦの係止部Ｆａあるいは係止部Ｆｂにそれぞれ係止することで、各第一パネル１０が端部フックＦを介して足場工４に保持される。第二パネル縦群においては、端側パネル部１２が備えた楕円孔２５ａを端部フックＦの係止部Ｆａに係止することで各第二パネル１１の端側パネル部１２側が端部フックＦを介して足場工４に保持される。
【０１３２】
また、第二パネル縦群においては、端側パネル部１３が備えたスライド用長孔２５ｂを端部フックＦの両係止部Ｆａ，Ｆｂに係止（挿通）することで各第二パネル１１の端側パネル部１３側が端部フックＦを介して足場工４に保持される。なお、中間フックＦ１は、端側パネル部１３を移動させる際に案内機能を備えるフックである。また、第一パネル１０においては、上フレーム部材１０３に形成された楕円孔１０９、下フレーム部材１０４に形成された楕円孔１０９は、それぞれ上下に並べられた端部フックＦの係止部Ｆｂに上方から係止される。第二パネル１１においては、上端の支持板部２５、下端の支持板部２５に形成された楕円孔２５ａ、スライド用長孔２５ｂは端部フックＦの係止部Ｆａ、Ｆｂに上方から係止される。
【０１３３】
この状態では、第二パネル縦群の各第二パネル１１においては、端側パネル部１２に対して端側パネル部１３が側周方向に移動されて端側パネル部１２に近づいていることから、第一パネル縦群における各第一パネル１０と、各第二パネル１１の端側パネル部１３の間に、側周方向の隙間δが形成されている。
【０１３４】
ここで、第二パネル１１の端側パネル部１２の楕円孔２５ａには端部フックＦの係止部Ｆａが係止されていることで端側パネル部１２はその場に保持されている。このため、端側パネル部１３のみを側周方向に移動させることで、容易に第二パネル１１の長さを長くすることができる。そして、端側パネル部１３を側周方向に移動する際には、スライド用長孔２５ｂの中間部（途中）に挿入された中間フックＦ１の係止部Ｆａ，Ｆｂおよびスライド用長孔２５ｂが、端側パネル部１３を側周方向へ移動案内させる手段として機能する。
【０１３５】
端側パネル部１３の側周方向への移動は、隙間δが閉じられるまで、すなわち端側パネル部１２とは反対側の側周方向に配置された第一パネル１０の側面に当接するまでであり、端部フックＦをスライド用長孔２５ｂの端部に挿入することができるまで行う。そしてスライド用長孔２５ｂの端部を、反対側の側周方向で第一パネル１０を係止している端部フックＦにおける一方の係止部Ｆｂに係止する。
【０１３６】
本実施形態では、中央側パネル部１４と端側パネル部１３とを、側周方向に相対的に移動させること、具体的には中央側パネル部１４に対して端側パネル部１３を移動させることで、第二パネル１１の側周方向の長さを調節することができる。したがって、足場工４に設置した第二パネル１１の長さを調節することで、ビル２の側周方向全領域が遮蔽される。これによって、遮蔽体１は、ビル２の外部へ騒音を漏らしたり、粉塵を飛散させたり、あるいはビル２から取り外されたボルト等が、ビル２の外部へ飛来落下するのを防止することができる。
【０１３７】
ここで、隙間δにおける側周方向の距離の一例を説明すると、本実施形態のように、所定の複数階（例えば最上階である八階から五階である４階分に相当する高さ）を遮蔽する場合では、隙間δの側周方向の距離は、２１０ｍｍ程度に設定した。
【０１３８】
遮蔽体１の設置に際し、予めビル２の側周方向の距離は、わかっている。また、第一パネル１０は、決められた寸法を有している。このため、遮蔽体１の設置に際し、何れの寸法を有する第一パネル１０が幾つ準備されていればよいかを、知ることができる。しかしながら、特に、図１に示すビル２のように、平面視して単純な矩形でない形状のビル２では、第一パネル１０のみではビル２の側周方向を隙間なく、全域にわたって遮蔽することはできない。
【０１３９】
このため、第一パネル１０の設置だけでは不足する側周方向領域に、第二パネル１１が用いられる。第二パネル１１は、側周方向の長さを調節可能であるから、遮蔽が不足する側周方向領域である、その側周方向の長さに応じて第二パネル１１の長さを調節して、足場工４に設置する。これによって、上記のようにしてビル２の側周方向全領域を遮蔽することができる。
【０１４０】
次に、所定の複数階分の高さに相当する領域でのビル２の解体を終了し、下階における所定の複数階分の解体を行うに際して、遮蔽体１を下階の複数階分の高さに相当する領域を遮蔽する場合での、遮蔽体１の設置方法を説明する。
【０１４１】
遮蔽体１は、解体を終了した階から、その下階において所定の複数階分の高さに相当する領域まで降ろされる。この場合、第一パネル縦群において楕円孔２５ａから端部フックＦを外し、第一パネル縦群を上階から下階へ下降させる。また、第二パネル１１の端側パネル部１３を端部フックＦ１および中間フックＦ１から外して、上述した設置の場合とは逆の側周方向へ移動して隙間δを形成しておき、そのうえで第二パネル縦群を下降させる。
【０１４２】
このようにすることで、第二パネル縦群をビル２の上階から下階へ下降させた際に、例えば第二パネル縦群に風荷重が働いたり、第二パネル縦群がアンバランスな状態で下降させられたりしても、隙間δによって第二パネル縦群に働く負荷が吸収され、第一パネル縦群が第一パネル縦群に衝突したり、重なったりする状態を防止することが可能である。第二パネル縦群を下階へ下降させた後は、上述した設置方法により遮蔽体１を足場工４に設置する。
【０１４３】
本実施形態では、第二パネル１１の長さを調節して遮蔽が不足する側周方向領域を遮蔽するから、パネル部を切断してその長さ調節をする必要がない。したがって、遮蔽体１の組立てに必要な手間を大幅に抑え得る。
【０１４４】
さらに、第二パネル１１では、押え部４４の外端面４４ａは、支持板部２５の外端面２５ｄと面一となるよう設定されている。この構成により、第二パネル１１の長さを調節して、端側パネル部１２，１３と中央側パネル部１４が並ぶ状態となったとしても、端側パネル部１２，１３の端側上フレーム部材１６と、中央側パネル部１４の中央側上フレーム部材３１との上端は面一になる。また、端側パネル部１２，１３の端側下フレーム部材１７と、中央側パネル部１４の中央側下フレーム部材３２との下端とは面一になる。
【０１４５】
このため、遮蔽体１を上下方向に複数並べたとしても、上下の遮蔽体１どうしの間に隙間が生じない。したがって、風が遮蔽体１の間から入り込んだり、逆に、塵芥がビル２の外へ排出されてしまったりする状態を防止することができ、作業環境の向上を図ることができる。
【０１４６】
上記実施形態では、第二パネル１１は、二つの端側パネル部１２，１３と、端側パネル部１２，１３に対して前後方向で重なる一つの中央側パネル部１４とを備える構成とした。しかしながら、第二パネル１１は二つの端側パネル部１２，１３のうち、何れか一つのパネル部から構成されていてもよい。この場合、第二パネルは、二つのパネル部によって構成される。そして、これら二つのパネル部の側周長さが調節されて、遮蔽体１に用いられる。この場合、スライド用長孔２５ｂは、何れか一方のパネル部に形成されていればよく、他方のパネル部に楕円孔２５ａが形成される。
【０１４７】
上記実施形態では、端部フックＦ、中間フックＦ１として、側周方向に並べられた一対の係止部Ｆａ，Ｆｂを備え、各係止部Ｆａ，Ｆｂは、先端部が上方へ向けられた延設片を備えている構成のものを採用した。しかしながら、端部フックＦ、中間フックＦ１の何れも、一本の係止部のみを備える構成のものであってもよい。
【０１４８】
この構成の端部フックＦ、中間フックＦ１を採用する場合では、端側パネル部１３を側周方向に移動させた際に、スライド用長孔２５ｂを端部フックＦに係止することはできない。しかしながら端側パネル部１３は、側周方向一端を端部フックＦで支持され、他端側を中間フックＦ１で支持されているから、足場工４に確実に支持される。そして第二パネル１１を長くして第一パネル１０の側面に端側パネル部１３を当接させればよい。
【０１４９】
上記実施形態では、第二パネル１１は、二つの端側パネル部１２，１３と、端側パネル部１２，１３に対して前後方向で重なる一つの中央側パネル部１４とを備える構成とし、スライド用長孔２５ｂを端側パネル部１３にのみ形成した場合で説明した。しかしながら、端側パネル部１２の楕円孔２５ａを端側パネル部１３に形成したスライド用長孔２５ｂとすることもできる。換言すれば、上記実施形態では端側パネル部１３のみを移動して第二パネル１１の長さを長くしたり短くしたりしたが、端側パネル部１２の楕円孔２５ａを端側パネル部１３に形成したスライド用長孔２５ｂと同様の長さとすることで、遮蔽体１の設置において、端側パネル部１２，１３の双方を中間フックＦ１で支持しつつ、中央側パネル部１４に対して移動することで第二パネル１１の長さを長くすることもできる。
【０１５０】
上記各実施形態では、第二パネル１１は、二つの端側パネル部１２，１３と、端側パネル部１２，１３に対して前後方向で重なる一つの中央側パネル部１４とを備える構成とした。しかしながら、第二パネル１１は二つの端側パネル部１２，１３のうち、何れか一つのパネル部から構成されていてもよい。この場合、第二パネルは、二つのパネル部によって構成される。そして、これら二つのパネル部の側周長さが調節されて、遮蔽体１に用いられる。
【０１５１】
上記各実施形態では、中央側パネル部１４は中央側フレーム部材１４０を備えた。しかしながら、中央側フレーム部材１４０は必ずしも必要ではなく、中央側パネル本体３０の外辺部（下辺部）が、支持板部２５に直接的に案内される構成とすることも可能である。
【０１５２】
本発明の第二パネル１１では、端側パネル部１２，１３と、中央側パネル部１４とを閉姿勢とした状態で、図１５および図１６に示すように、前フレーム本体２２の前板２２ａに対する突出部２３ａの段差を利用して、複数個の第二パネル１１を位置ずれさせることなく積載状態とする（積載状態として搬送する）ことが可能である。この場合、支持板部２５の外端面２５ｃを基準とした前板２２ａの幅（例えば、中央側パネル本体３０の板面中心を基準として、該板面中心から板面に沿う方向の幅）を、押え部４４の幅に比べてわずかに大きく設定した構成とする。
【０１５３】
また、積載状態において、中央側パネル部１４の脱落防止条片４２が、積載される他の第二パネル１１の構成部材と干渉してしまう場合では、中央側パネル部１４における左右の脱落防止条片４２を省く（切除する）ようにして、前記干渉を回避することが好ましい。このように構成することで、前板２２ａに対する突出部２３ａの段差に押え部４４が係止するから、第二パネル１１を積載状体で搬送するとして、端側パネル部１２，１３および中央側パネル部１４の端側フレーム部材１２０および中央側フレーム部材１４０がアルミニウムのようなすべり易い金属で形成されていたとしても、荷崩れが生じにくく、しかも複数の第二パネル１１をコンパクト化した状態で搬送することができる。
【０１５４】
さらに、第二パネル５０における複数のパネル部５１，５２のスライド機構として、図１７に示す構成が考えられる。同図に示す実施形態では、前側のパネル５３を保持する前側のフレーム部材５４、および後側のパネル５５を保持する後側のフレーム部材５６が、ともに略矩形断面に形成されており、前側のフレーム部材５４の後面に、後側のフレーム部材５６の前面から突出する突条５７がスライド自在に嵌合（係止）する案内溝５８が形成された構成である。
【０１５５】
このような構成の第二パネル５０であっても、ビル２の側周方向の長さに応じて、長さがさめられた他の第一パネル（符号省略）と組み合わせて、ビル２を遮蔽することができる。なお、図示しないが、図１７に示した実施形態の場合でも、後側のフレーム部材５６には、フックＦに係止される係止用孔を適宜の部位に形成する。
【０１５６】
上記実施形態では、端側パネル部１２，１３のフレーム部材、中央側パネル部１４が保持される構造の例を説明した。しかしながら、中央側パネル部１４に端側パネル部１２，１３を保持するフレーム部材を設けて、中央側パネル部１４に端側パネル部１２，１３が保持される構成とすることも可能である。
【符号の説明】
【０１５７】
１…遮蔽体、２…ビル、３…外壁面、４…足場工、５…枠組体、６…建枠部材、７…脚部材、１０…第一パネル、１１…第二パネル、１２，１３…端側パネル部、１４…中央側パネル部、１５…端側パネル本体、１７…端側下フレーム部材、２０…表側保持部、２１…裏側保持部、２５…支持板部、２５ａ，２５ａ…長孔、２５ｂ…スライド用長孔、３０…中央側パネル本体、３２…中央側下フレーム部材、４２…脱落防止条片、Ｆ…フック、ＦＲ…前後方向
【図１】
2013253464.tif 000003
【図２】
2013253464.tif 000004
【図３】
2013253464.tif 000005
【図４】
2013253464.tif 000006
【図５】
2013253464.tif 000007
【図６】
2013253464.tif 000008
【図７】
2013253464.tif 000009
【図８】
2013253464.tif 000010
【図９】
2013253464.tif 000011
【図１０】
2013253464.tif 000012
【図１１】
2013253464.tif 000013
【図１２】
2013253464.tif 000014
【図１３】
2013253464.tif 000015
【図１４】
2013253464.tif 000016
【図１５】
2013253464.tif 000017
【図１６】
2013253464.tif 000018
【図１７】
2013253464.tif 000019